(57)【要約】  試験室Ｘ内の空気に含まれる粒子状物質の影響を考慮しながら排ガス分析できるようにするべく、試験室Ｘ内に配置されたエンジンＥを備える供試体から排出される排ガスを分析する分析システム１００であって、試験室Ｘ内の空気に含まれる粒子状物質を採取するサンプリング部５１と、サンプリング部５１に採取された粒子状物質を分析する第１分析部６１と、第１分析部６１の分析結果を出力する分析結果出力部６２とを備えるようにした。
2019225591.tif 000002
【特許請求の範囲】
【請求項１】
車両又はその一部である供試体が配置された試験室内の空気を分析する分析システムであって、
前記試験室内の空気に含まれる粒子状物質を採取するサンプリング部と、
前記サンプリング部に採取された粒子状物質を分析する第１分析部と、
前記第１分析部の分析結果を出力する分析結果出力部とを備える、分析システム。
【請求項２】
前記供試体から排出される排出物を分析する第２分析部と、
前記第１分析部の分析結果と、前記第２分析部の分析結果とを関連付けて記憶するデータ記憶部とをさらに具備する、請求項１記載の分析システム。
【請求項３】
前記供試体に負荷を与えるダイナモメータと、
前記供試体から排出される排ガスを採取する排ガスサンプリング装置とをさらに備え、
前記サンプリング部が、前記排ガスサンプリング装置による排ガスの採取中に、前記試験室内の空気に含まれる粒子状物質を採取する、請求項１記載の分析システム。
【請求項４】
前記第１分析部が、前記サンプリング部に採取された粒子状物質の質量又は数を計測するものであり、
前記第２分析部が、前記排出物に含まれる成分を分析するもの、又は、当該排出物に含まれる粒子状物質の質量又は数を計測するものである、請求項２記載の分析システム。
【請求項５】
前記第１分析部が、前記サンプリング部に採取された粒子状物質を元素分析するものであり、
前記第２分析部が、前記排出物に含まれる成分を分析するもの、又は、当該排出物に含まれる粒子状物質の質量又は数を計測するものである、請求項２記載の分析システム。
【請求項６】
前記試験室内における粒子状物質の発生源と、その発生源に含まれる元素を結び付けた発生源推定データを記憶している発生源データ格納部と、
前記第１分析部の分析結果及び前記発生源推定データに基づいて、前記試験室内の空気に含まれる粒子状物質の発生源を推定する発生源推定部をさらに具備する、請求項５記載の分析システム。
【請求項７】
前記第１分析部の分析結果に基づいて、前記第２分析部の分析結果の有効性を判断する有効性判断部をさらに具備する、請求項４記載の分析システム。
【請求項８】
前記サンプリング部のサンプリングポートが、前記供試体のエンジンの吸気ポートの近傍に配置されている、請求項１記載の分析システム。
【請求項９】
車両又はその一部である供試体が配置された試験室内の空気を分析する分析方法であって、
前記試験室内の空気に含まれる粒子状物質を採取するサンプリングステップと、
前記サンプリング部に採取された粒子状物質を分析する第１分析ステップと、
前記第１分析ステップの分析結果を出力する分析結果出力ステップとを備える、分析方法。
【発明の詳細な説明】
【技術分野】
【０００１】
本発明は、例えばエンジンから排出される排ガスを分析する分析システム及び分析方法に関するものである。
【背景技術】
【０００２】
従来、分析システムとしては、特許文献１に示すように、例えばエンジンからの排ガスを希釈ガスにより希釈してサンプリングし、そのサンプリングされた希釈排ガスに含まれる成分を分析して各種成分の濃度や質量を計測したり、希釈排ガスに含まれる粒子状物質の重量や数などを計測したりするものがある。【０００３】
ところで、エンジンが配置されている試験室内の空気には、例えばタイヤやブレーキ等が磨耗した粉塵、回転体から発生する粉塵、作業者から生じる埃、試験室の建材等から生じる微粒子など、種々の粒子状物質が含まれている。【０００４】
これらの粒子状物質が希釈排ガスに混ざって分析されたり計測されてしまうことを防ぐべく、上述した分析システムには、試験室内の空気をフィルタ等を介して取り込んで希釈空気を精製する希釈空気精製装置が利用されており、この精製された希釈空気が希釈ガスとして使用されている。【０００５】
ところが、試験室内の空気は、例えば車両の運転時に吸気されてエンジンに供給されるので、上述した粒子状物質は、エンジンから排出される排ガスにも含まれているはずであり、その粒子状物質が分析結果に影響を与える恐れがある。
なお、試験室内の空気に含まれる粒子状物質がエンジンに供給されることは、上述した分析システムのみならず、エンジン単体からの排ガスを分析する場合や、排ガスを希釈せずに直接サンプリングする場合においても共通して言えることである。さらには、試験室内の空気と水素とを反応させて電気を生成する燃料電池自動車において、排出される水などを分析する場合に、やはり共通して言えることである。
【先行技術文献】
【特許文献】
【０００６】
【特許文献１】特開平６−３２３２号公報
【発明の概要】
【発明が解決しようとする課題】
【０００７】
そこで本発明は、上述した問題を解決すべくなされたものであり、試験室内の空気に含まれる粒子状物質の影響を考慮しながら排ガス分析できるようにすることをその主たる課題とするものである。
【課題を解決するための手段】
【０００８】
すなわち本発明に係る分析システムは、車両又はその一部である供試体が配置された試験室内の空気を分析する分析システムであって、前記試験室内の空気に含まれる粒子状物質を採取するサンプリング部と、前記サンプリング部に採取された粒子状物質を分析する第１分析部と、前記第１分析部の分析結果を出力する分析結果出力部とを備えることを特徴とするものである。【０００９】
このような分析システムであれば、試験室内の空気に含まれる粒子状物質を分析するので、空気に含まれる粒子状物質の質量や数を知ることができたり、例えばチタン（Ｔｉ）が検出されれば、ブレーキの磨耗による粉塵が試験室内の空気に含まれていることが推定できるし、試験室の建材等に使われている成分（例えばアルミニウム（Ａｌ））が検出されれば、建材等から生じた微粒子が試験室内の空気に含まれていることが推定できる。これにより、例えば排ガス分析に影響し得る粒子状物質（以下、汚染物質ともいう）が試験室内の空気に含まれているか否か等を考慮しながら、排ガス分析することが可能となる。【００１０】
前記供試体から排出される排出物を分析する第２分析部と、
前記第１分析部の分析結果と、前記第２分析部の分析結果とを関連付けて記憶するデータ記憶部とをさらに具備することが好ましい。
このような構成であれば、第２分析部による分析後に、その分析時における試験室内の空気に汚染物質が含まれているか否かを事後解析することができる。【００１１】
前記供試体に負荷を与えるダイナモメータと、前記供試体から排出される排ガスを採取する排ガスサンプリング装置とをさらに備え、前記サンプリング部が、前記排ガスサンプリング装置による排ガスの採取中に、前記試験室内の空気に含まれる粒子状物質を採取することが好ましい。
このような分析システムによれば、排ガスの採取と試験室内の空気の採取とを同期させているので、試験室内の空気から汚染物質が検出されれば、その汚染物質がエンジンからの排ガスに含まれている可能性があり、排ガス分析結果の有効性等を判断し易くなる。【００１２】
前記第１分析部が、前記サンプリング部に採取された粒子状物質の質量又は数を計測するものであり、前記第２分析部が、前記排出物に含まれる成分を分析するもの、又は、当該排出物に含まれる粒子状物質の質量又は数を計測するものであることが好ましい。
このような構成であれば、試験室内の空気にどれだけの粒子状物質が含まれているかを考慮しつつ、第２分析部によって必要に応じた種々の分析（排ガスの成分分析や粒子状物質の計測）を行うことができる。【００１３】
前記第１分析部が、前記サンプリング部に採取された粒子状物質を元素分析するものであり、前記第２分析部が、前記排出物に含まれる成分を分析するもの、又は、当該排出物に含まれる粒子状物質の質量又は数を計測するものであることが好ましい。
このような構成であれば、試験室内の空気に含まれる粒子状物質を元素分析するので、その元素が第２分析部の分析結果に影響を及ぼすものでるかを考慮しつつ、第２分析部によって必要に応じた種々の分析（排ガスの成分分析や粒子状物質の計測）を行うことができる。【００１４】
前記試験室内における粒子状物質の発生源と、その発生源に含まれる元素を結び付けた発生源推定データを記憶している発生源データ格納部と、前記第１分析部の分析結果及び前記発生源推定データに基づいて、前記試験室内の空気に含まれる粒子状物質の発生源を推定する発生源推定部をさらに具備することが好ましい。
このような構成であれば、推定された発生源のメンテナンスや清掃等を行うことにより、試験室内の空気に含まれる粒子状物質を効率良く低減させることができる。【００１５】
前記第１分析部の分析結果に基づいて、前記第２分析部の分析結果の有効性を判断する有効性判断部をさらに具備することが好ましい。
このような構成であれば、試験室内の空気に含まれる粒子状物質を定量的に考慮しながら、排ガス分析結果の有効性を判断することができる。【００１６】
前記サンプリング部のサンプリングポートが、前記供試体のエンジンの吸気ポートの近傍に配置されていることが好ましい。
このような構成であれば、エンジンに吸気される空気を直接的に元素分析することができ、エンジンに汚染物質が供給されているかをより正しく判断することができる。【００１７】
さらに、本発明に係る分析方法は、車両又はその一部である供試体が配置された試験室内の空気をから排出される排ガスを分析する分析方法であって、前記試験室内の空気に含まれる粒子状物質を採取するサンプリングステップと、前記サンプリング部に採取された粒子状物質を分析する第１分析ステップと、前記第１分析ステップの分析結果を出力する分析結果出力ステップとを備えることを特徴とする方法である。
このような分析方法によれば、上述した分析システムと同様の作用効果を得ることができる。
【発明の効果】
【００１８】
このように構成した本発明によれば、試験室内の空気に含まれる粒子状物質の影響を考慮しながら排ガス分析することができる。
【図面の簡単な説明】
【００１９】
【図１】本実施形態に係る分析システムの全体模式図。
【図２】同実施形態に係る環境分析装置の構成を示す模式図。
【図３】同実施形態に係る情報処理装置の機能を示す機能ブロック図。
【図４】同実施形態に係る分析システムの動作を示すフローチャート。
【図５】その他の実施形態に係る情報処理装置の機能を示す機能ブロック図。
【図６】その他の実施形態に係る分析システムの全体模式図。
【発明を実施するための形態】
【００２０】
以下、本発明に係る分析システムの一実施形態について、図面を参照して説明する。
【００２１】
本実施形態の分析システム１００は、エンジンＥを備える供試体の性能等を評価するために用いられる排ガス分析システムであり、図１に示すように、セルと称させる試験室Ｘ内において、エンジンＥから排出される排ガスを分析するものである。なお、排ガスの分析とは、排ガスに含まれる成分を分析して各種成分の濃度や質量を計測したり、排ガスに含まれるＰＭ（質量）やＰＮ（数）などを計測することである。また、エンジンとは、車両や船舶、航空機などに用いられる内燃機関（internal combustion engine）又は外燃機関（external combustion engine）である。なお、エンジンＥを備える供試体とは、エンジンＥ単体も含む概念である。また、供試体は、回転体を備えるものであれば、必ずしもエンジンＥを備える必要はなく、例えば燃料電池自動車（以下FCV）や電気自動車（以下EV）、或いはそれらの一部であっても良い。また、エンジンとモータの両方を備えたハイブリット車（以下HV）であってもよい。さらに、分析システム１００の分析対象は、排ガスに限らず、例えばテールパイプから排出される水など、供試体から排出される排出物であれば良い。
【００２２】
以下では、エンジンＥが搭載された試験車両Ｖをシャシダイナモメータ１０上で走行させて排ガス分析する態様について説明するが、分析システム１００としては、エンジンＥ単体にエンジンダイナモを接続して排ガス分析するものであって良いし、エンジンＥが接続されたパワートレインにダイナモメータを接続して排ガス分析するものであっても良い。
【００２３】
本実施形態の分析システム１００は、試験車両Ｖに負荷を与えるシャシダイナモメータ１０と、エンジンＥから排出された排ガスを採取する排ガスサンプリング装置２０と、排ガスサンプリング装置２０によって採取された排ガスを分析する排ガス分析装置３０（請求項でいう第２分析部）とを具備する。
【００２４】
シャシダイナモメータ１０は、試験車両Ｖの駆動輪を載せる回転ドラム１１等を備えたものであり、ここでは試験車両Ｖの前輪及び後輪それぞれに対して回転ドラム１１が設けられているが、前輪又は後輪の一方にのみ対して回転ドラム１１が設けられていても良い。
【００２５】
排ガスサンプリング装置２０は、エンジンＥに接続された排気管Ｅ１を流れる排ガスの一部又は全部を採取するものである。本実施形態の排ガスサンプリング装置２０は、排ガスを全量サンプリングするとともに、全量サンプリングした排ガスを希釈ガスにより希釈して希釈排ガスを生成し、該希釈排ガスの流量が一定になるように構成した定容量サンプリング（ＣＶＳ）機構を備えたものである。そして、このＣＶＳ機構により、排ガスと希釈ガスとの総流量、すなわち希釈排ガスの流量が一定となった状態において、希釈排ガスが第１のガス収容バッグＭ１へ収容されるとともに、希釈ガスは第２のガス収容バッグＭ２へ収容される。なお、希釈ガスは、空気精製装置ＤＡＲが試験室Ｘ内の空気を図示しないフィルタを介して取り込んで精製した希釈用空気である。
【００２６】
排ガス分析装置３０は、排ガスに含まれる成分を分析して各種成分の濃度及び／又は質量を計測するものである。具体的に排ガス分析装置３０は、各収容バッグＭ１、Ｍ２に収容されたガスを分析して、これらのガスに含まれるＨＣ、ＮＯＸ、ＣＯ、ＣＯ２等の測定対象成分の濃度を測定し、その測定結果に基づいてエンジンＥから排出された排ガスに含まれる測定対象成分の濃度を算出するものである。
【００２７】
然して、本実施形態の分析システム１００は、排ガス分析が行われる環境、すなわち試験室Ｘ内の空気を分析する環境分析装置４０と、上述した排ガス分析結果や環境分析装置４０による分析結果を取得する情報処理装置Ｃとをさらに具備してなる。
【００２８】
環境分析装置４０は、図２に示すように、試料Ｓに一次Ｘ線を照射することにより生じる二次Ｘ線を検出して、試料Ｓの成分分析を行うものであり、具体的には蛍光Ｘ線分析装置である。
【００２９】
ここでの環境分析装置４０は、試験室Ｘ内に配置されて、試験室Ｘ内の空気に含まれる粒子状物質を試料Ｓとして分析する例えば波長分散型蛍光Ｘ線分析装置であり、装置本体５０及びこの装置本体５０との間で信号を授受するデータ処理部６０を備えている。
【００３０】
装置本体５０は、試験室Ｘ内の空気に含まれる粒子状物質を採取するサンプリング部５１と、採取した粒子状物質に一次Ｘ線を照射して該粒子状物質から生じる蛍光Ｘ線を検出する分析部５２とを備えている。
【００３１】
サンプリング部５１は、粒子状物質を捕集するフィルタＦと、試験室Ｘ内の空気を吸引してフィルタＦに導くサンプリング流路Ｌと、サンプリング流路Ｌに設けられた吸引ポンプＰとを有している。より具体的に説明すると、本実施形態のサンプリング部５１は、一対のリールＲを用いてフィルタＦを巻き取る巻き取り式のものであり、所定のサンプリング時間に亘って粒子状物質をフィルタＦに捕集した後、そのフィルタＦを分析部５２に搬送するように構成されている。なお、サンプリング部５１としては、粒子状物質を捕集した後のフィルタＦをユーザがサンプリング流路Ｌから取り外して分析部５２にセットするバッチ式のものであっても良い。
【００３２】
このサンプリング部５１は、試験車両Ｖに吸気される空気の一部を採取するように試験室Ｘ内に配置されており、具体的には図１に示すように、サンプリング流路ＬのサンプリングポートＬａが試験車両Ｖの前方に設けられており、試験車両Ｖの吸気口の近傍に設けられていることが好ましい。本実施形態では、試験車両Ｖの前方に送風ファンＡが設置されており、サンプリングポートＬａは試験車両Ｖと送風ファンＡとの間に設けられている。
【００３３】
さらにサンプリング部５１には、フィルタＦに捕集された粒子状物質の捕集量（質量）を測定するための捕集量測定部５３が設けられている。この捕集量測定部５３は、捕集された粒子状物質にβ線を照射するβ線源５３１と、粒子状物質を透過したβ線を検出するβ線検出器５３２とを有している。これにより、β線検出器５３２が検出したβ線強度に基づいて粒子状物質の捕集量を求めることができる。なお、捕集量は、捕集後のフィルタＦの質量から捕集前のフィルタＦの質量を差し引いて求めても良い。
【００３４】
分析部５２は、フィルタＦに捕集された粒子状物質にＸ線を照射するＸ線源５２１と、粒子状物質から生じる蛍光Ｘ線を検出するＸ線検出器５２２とを有している。Ｘ線源５２１としては、例えばパラジウムなどの金属に電子を照射してＸ線を発生させるものが挙げられる。Ｘ線検出器５２２としては、例えばシリコン半導体検出器やシリコンドリフト検出器が挙げられる。
【００３５】
データ処理部６０は、物理的にはＣＰＵ、内部メモリ、入出力インターフェース、ＡＤ変換器などを備えたものであり、前記内部メモリに格納された検査プログラムに基づいて、ＣＰＵ及びその他の構成要素が協働することによって、粒子状物質に含まれる元素を分析する元素分析部６１、元素分析部６１（請求項でいう第１分析部）による元素分析結果を出力する分析結果出力部６２などの機能を備えている。
【００３６】
元素分析部６１は、上述したＸ線検出器５２２から出力されるＸ線強度信号を取得して、粒子状物質に含まれる元素を少なくとも定性分析するものであり、具体的には検出された蛍光Ｘ線スペクトルに現れているピークに対応する元素を特定する。
ここで、本実施形態のデータ処理部６０は、上述したβ線検出器５３２から出力されるβ線強度信号を取得して捕集量を算出する捕集量算出部６３としての機能さらに備えている。これにより、元素分析部６１は、捕集量算出部６３により算出された捕集量を用いて、粒子状物質に含まれる元素の濃度（例えば質量濃度又は元素濃度）や質量を定量分析することができる。
【００３７】
分析結果出力部６２は、元素分析部６１による元素分析結果を情報処理装置Ｃに出力するものであり、出力される元素分析結果には少なくとも定性分析結果、すなわち粒子状物質に含まれていると特定された元素情報が含まれている。さらに、ここでの分析結果出力部６２は、定量分析結果、すなわち特定された元素の濃度（例えば質量濃度又は元素濃度）や質量を示す情報をも元素分析結果として出力する。
なお、分析結果出力部６２の出力方式としては、有線又は無線を介して元素分析結果を情報処理装置Ｃに出力しても良いし、例えばＵＳＢメモリ等の外部メモリに元素分析結果を出力して、その外部メモリに記憶された元素分析結果を適宜のタイミングで情報処理装置Ｃに取得させても良い。
【００３８】
情報処理装置Ｃは、ＣＰＵ、内部メモリ、入出力インターフェース、ＡＤ変換器などを備えた専用乃至汎用のコンピュータであり、例えば試験室Ｘとは別室に設けられている。そして、この情報処理装置Ｃは、内部メモリに格納されたプログラムに基づいて、図３に示すように、ＣＰＵ及びその他の構成要素が協働することによって、排ガス分析結果受付部Ｃ１、元素分析結果受付部Ｃ２、データ記憶部Ｃ３、有効性判断部Ｃ４などの機能を発揮するように構成されている。
以下、各部について説明する。
【００３９】
排ガス分析結果受付部Ｃ１は、上述した排ガス分析装置３０により得られた排ガス分析結果を受け付けるものであり、排ガスに含まれる成分や、それらの成分の濃度及び／又は質量や、排ガスに含まれるＰＭやＰＮなどを受け付ける。
【００４０】
元素分析結果受付部Ｃ２は、分析結果出力部６２により出力された元素分析結果を受け付けるものであり、少なくとも試験室Ｘ内の空気に含まれる粒子状物質を定性分析した定性分析結果を受け付け、ここでは当該粒子状物質を定量分析した定量分析結果をも受け付ける。
【００４１】
データ記憶部Ｃ３は、排ガス分析結果受付部Ｃ１が受け付けた排ガス分析結果と、元素分析結果受付部Ｃ２が受け付けた元素分析結果とを関連付けて記憶する記憶するものである。具体的にデータ記憶部Ｃ３は、例えば排ガスサンプリング装置２０による排ガスの採取時間帯と、サンプリング部５１による試験室Ｘ内の空気を採取時間帯との少なくとも一部が重なり合うように、排ガス分析結果と元素分析結果とを同期させて記憶している。言い換えれば、データ記憶部Ｃ３は、排ガス分析結果と、その分析された排ガスの採取開始時刻から排ガスの採取終了時刻までの間に採取された試験室Ｘ内の空気の元素分析結果とを結び付けて記憶している。
なお、データ記憶部Ｃ３としては、例えば採取された排ガスの分析時間帯と、採取された試験室Ｘ内の空気の分析時間帯との少なくとも一部が重なり合うように、排ガス分析結果と元素分析結果とを同期させて記憶しても良い。
【００４２】
有効性判断部Ｃ４は、分析結果出力部６２により出力された元素分析結果に基づいて、排ガス分析結果の有効性を判断するものである。具体的に有効性判断部Ｃ４は、元素分析結果に含まれる元素情報、すなわち定性分析により検出された元素のうち、ユーザが予め定めた１又は複数の所定元素（以下、汚染元素という）の濃度又は質量と、それぞれの所定元素に対して定められている閾値（ゼロを含む）とを比較する。そして有効性判断部Ｃ４は、汚染元素の濃度又は質量が閾値以下である場合、排ガス分析結果を有効なものであると判断し、汚染元素の濃度又は質量が閾値を超えている場合、排ガス分析結果を無効なものであると判断し、これらの判断結果を例えばディスプレイ等に出力する。なお、有効性判断部Ｃ４としては、判断結果を出力することなく、元素分析結果（汚染元素の濃度又は質量）を例えば閾値と比較可能にディスプレイ等に出力するように構成されていても良い。
【００４３】
ここで、汚染元素とは、試験室Ｘ内の空気に含まれ得る粒子状物質を構成する元素であり、且つ、例えばエンジンＥに供給された場合に排ガス分析に影響を及ぼす元素である。具体的には、例えばタイヤやブレーキ等が磨耗した粉塵、回転体から発生する粉塵、作業者から生じる埃、試験室Ｘの建材等から生じる微粒子などに含まれる元素が汚染元素として挙げられ、より具体的には、ブレーキに含まれるチタン（Ｔｉ）、試験室Ｘの建材等に含まれるアルミニウム（Ａｌ）、シャシダイナモメータ１０を構成する回転ドラム１１等の回転体に含まれる鉄（Ｆｅ）などである。ただし、必要に応じて、排ガス分析に影響しない元素を汚染元素とてしても良く、ユーザは汚染元素を適宜選択・変更して構わない。
【００４４】
続いて、本実施形態の環境分析装置４０を用いた分析方法につい、図４を参照しながら説明する。
【００４５】
まず、排ガス分析が開始されると、排ガスサンプリング装置２０が、エンジンＥから排出される排ガスを採取する（Ｓ１１）。本実施形態では、排ガスが希釈ガスにより希釈され、希釈排ガスが第１のガス収容バッグＭ１へ収容されるとともに、希釈ガスが第２のガス収容バッグＭ２へ収容される。
【００４６】
一方、希釈排ガス及び希釈ガスがそれぞれ各ガス収容バッグＭ１、Ｍ２に溜まると、排ガス分析装置３０が、各ガスに含まれる成分を分析して、各種成分の濃度及び／又は質量やＰＭ・ＰＮ等を計測する（Ｓ１２）。この排ガス分析結果は、排ガス分析装置３０から情報処理装置Ｃに出力される（Ｓ１３）。
【００４７】
ここで、上述した排ガスの採取を開始するタイミングより前又は同時に、環境分析装置４０のサンプリング部５１が、試験室Ｘ内の空気を採取し始める（Ｓ２１）。これにより、上述した排ガスの採取中に、試験室Ｘ内の空気が採取され、採取された空気に含まれる粒子状物質がフィルタＦに捕集される。
【００４８】
その後、所定のサンプリング時間が経過すると、フィルタＦが分析部５２に送られる。そして、捕集された粒子状物質に一次Ｘ線が照射され、これにより生じる蛍光Ｘ線がＸ線検出器５２２により検出され、検出されたＸ線強度信号に基づいて、データ処理部６０により粒子状物質の元素分析が行われる（Ｓ２２）。この元素分析結果は、データ出力部から情報処理装置Ｃに出力される（Ｓ２３）。
【００４９】
情報処理装置Ｃは、上述した元素分析結果及び排ガス分析結果を受け付けて、これらを互いに関連付けてデータ記憶部Ｃ３に記憶する（Ｓ３１）。ここでは、上述したように、排ガスの採取時間と試験室Ｘ内の空気を採取時間との少なくとも一部が重なり合うように、排ガス分析結果と元素分析結果とを同期させてデータ記憶部Ｃ３に記憶させている。
【００５０】
また、元素分析結果が情報処理装置Ｃに出力されると、有効性判断部Ｃ４が、その元素分析結果に基づいて、排ガス分析結果の有効性を判断する（Ｓ３２）。なお、有効性判断部Ｃ４による具体的な判断方法は、上述した通りである。
有効性判断部Ｃ４による判断のタイミングは、排ガス分析結果が得られた後に、その排ガス分析結果に対して有効性を判断しても良いし、排ガス分析結果が得られる前に、そのまま排ガス分析を進めた場合に得られる排ガス分析結果に対して有効性を判断しても良い。後者の場合の有効性判断部Ｃ４としては、例えば環境分析装置４０から出力される元素分析結果に基づいて、排ガスの採取中に、そのまま排ガス分析を進めた場合に得られる排ガス分析結果に対して有効性を判断する構成が挙げられる。
【００５１】
このように構成された分析システム１００によれば、試験室Ｘ内の空気に含まれる粒子状物質を元素分析できるので、例えばＴｉが検出されれば、ブレーキの磨耗による粉塵が試験室Ｘ内の空気に含まれていることが推定できるし、試験室Ｘの建材等に使われているＡｌが検出されれば、建材等から生じる微粒子が試験室Ｘ内の空気に含まれていることが推定できる。これにより、試験室Ｘ内の空気に例えば排ガス分析に影響し得る汚染元素が含まれているか否か等を考慮しながら、排ガス分析を進めたり、得られた排ガス分析結果の有効性を判断したりすることが可能となる。
【００５２】
また、排ガスの採取と試験室Ｘ内の空気の採取とを同期させているので、試験室Ｘ内の空気から汚染元素が検出されれば、その汚染元素がエンジンＥからの排ガスに含まれている可能性があり、排ガス分析の有効性等を判断し易くなる。
【００５３】
さらに、排ガス分析結果及び元素分析結果を関連付けて記憶させているので、排ガス分析後に、その排ガス分析時における試験室Ｘ内の空気に汚染元素が含まれていたか否かを事後分析することができる。
【００５４】
そのうえ、有効性判断部Ｃ４が、排ガス分析に影響を及ぼす所定元素の濃度又は質量に基づいて排ガス分析結果の有効性を判断するので、試験室Ｘ内の空気に含まれる汚染元素を定量的に考慮しながら、排ガス分析結果の有効性を判断することができる。
【００５５】
加えて、試験室Ｘ内の空気を採取するサンプリング流路ＬのサンプリングポートＬａが、試験車両Ｖの吸気口の近傍に設けられているので、エンジンＥに吸気される空気を直接的に元素分析することができ、エンジンＥに汚染物質が供給されているかをより正しく判断することができる。
【００５６】
さらに加えて、有効性判断部Ｃ４が、排ガスの採取中に、そのまま排ガス分析を進めた場合に得られる排ガス分析結果に対して有効性を判断するように構成されていれば、例えば試験室Ｘ内の空気に多くの汚染元素が含まれており、そのまま排ガス分析を進めたとしても有効性の低い分析結果が得られる場合には、排ガスの採取を中断するなどして、無駄な排ガス分析が行われることを避けることができる。
【００５７】
なお、本発明は前記実施形態に限られるものではない。
【００５８】
例えば、情報処理装置Ｃとしては、図５に示すように、元素分析結果を取得するとともに、排ガス分析に影響する汚染元素が元素分析結果に含まれている場合に、その汚染元素の試験室Ｘ内における発生源を推定する発生源推定部Ｃ５としての機能を備えていても良い。
【００５９】
具体的にこの場合の情報処理装置Ｃは、排ガス分析に影響する汚染元素と、その汚染元素が試験室Ｘ内において発生し得る発生源とを結び付けた発生源推定データを記憶している発生源データ格納部Ｃ６としての機能をさらに備えており、発生源推定部Ｃ５は、発生源推定データ及び元素分析結果に基づいて発生源を推定し、その発生源を例えばディスプレイ等に出力するように構成されている。
このような構成であれば、発生源推定部Ｃ５により推定された発生源を清掃やメンテナンスすることで、試験室Ｘ内に含まれる汚染元素を低減させることができる。
【００６０】
前記実施形態のデータ記憶部Ｃ３は、排ガス分析結果と、その分析された排ガスの採取時間帯に採取した試験室Ｘ内の空気の元素分析結果とを結び付けて記憶していたが、排ガスの採取時間帯と空気の採取時間帯とは重なり合っていなくても良く、データ記憶部Ｃ３としては、互いに異なる採取時間帯に採取された排ガスの分析結果と空気の元素分析結果とを結び付けて記憶しても良い。
【００６１】
また、前記実施形態では、環境分析装置４０による元素分析結果に基づいて、排ガス分析結果の有効性が判断されていたが、例えば排ガス分析を開始する前に元素分析結果を得ることで、その元素分析結果に基づいて、排ガス分析を開始する前に排ガス分析環境のクリーニング等が必要であるか否かを判断しても良い。
【００６２】
さらに、環境分析装置４０は、前記実施形態では試料Ｓに一次Ｘ線を照射することにより生じる蛍光Ｘ線を検出して元素分析するものであったが、一次Ｘ線の照射により生じる散乱Ｘ線や光電子を検出して元素分析するものであっても良い。また、環境分析装置４０として用いられる蛍光Ｘ線分析装置は、波長分散型のものに限らず、エネルギー分散型のものであっても良い。
【００６３】
また、前記実施形態の第１分析部は、試験室Ｘ内の空気に含まれる粒子状物質を元素分析するものであったが、第１分析部としては、試験室Ｘ内の空気に含まれる粒子状物質の質量又は数を計測するものであっても良い。
この場合の第１分析部としては、粒子状物質の質量（ＰＭ）を計測するための捕集フィルタや、粒子状物質の数（ＰＮ）を計測するための拡散電荷法センサ（ＤＣＳ）、凝縮粒子カウンタ（ＣＰＣ）、固体粒子数計測装置（ＳＰＣＳ）等を利用した粒子計数装置を挙げることができる。
【００６４】
さらに、前記実施形態の第２分析部は、排ガスサンプリング装置２により採取された排ガスに含まれる成分を分析するものであったが、第２分析部としては、図６に示すように、排ガスサンプリング装置２により採取された排ガスに含まれる粒子状物質の質量又は数を計測する粒子状物質計測装置７０であっても良い。
この場合、粒子状物質計測装置７０としては、粒子状物質の質量（ＰＭ）を計測するための拡散電荷法センサ（ＤＣＳ）を利用したＰＭ計測装置や、粒子状物質を捕集する捕集フィルタや、粒子状物質の数（ＰＮ）を計測するための凝縮粒子カウンタ（ＣＰＣ）、固体粒子数計測装置（ＳＰＣＳ）等を利用した粒子計数装置を挙げることができる。
【００６５】
加えて、分析結果出力部６２は、前記実施形態では元素分析結果を情報法処理装置に出力するものであったが、元素分析結果を例えばディスプレイに表示出力したり、紙面にプリント出力するものであっても良い。このような構成であっても、ユーザが元素分析結果を確認することで、試験室Ｘ内の空気に含まれる粒子状物質の影響を考慮しながら排ガス分析を行うことができる。
【００６６】
さらに加えて、分析システム１００は、前記実施形態ではエンジンＥから排出された排ガスを全量採取して希釈して分析するものであったが、エンジンＥから排出された排ガスの一部を採取するものであっても良い。また、分析システム１００は、エンジンＥから排出される排ガスを希釈することなく、直接サンプリングして分析するものであっても良い。
【００６７】
また、分析システム１００の供試体としては、FCV、EV、HV、二輪車などであっても良いし、これらを構成する一部を供試体としても良い。
なお、FCVは、水素と試験室内の空気（例えば圧縮空気）とを反応させて電気を発生させる際に水を生成する。このため、FCVを供試体とする場合は、前記実施形態における排ガス分析装置３０の代わりに、FCVのテールパイプから排出される水を分析する分析装置（例えば、元素分析装置）を第２分析部としても良い。このような構成であれば、試験室内の空気に含まれる粒子状物質の影響を考慮しながら、テールパイプから排出される水の分析を行うことができる。例えば、情報処理装置は、第２分析部の水の分析結果から、第１分析部の分析結果（すなわち、試験室内の空気に含まれる粒子状物質）を引くことで、燃料電池に由来する粒子状物質を判別することができる。さらに、FCVの電費を計測し、情報処理装置は、試験室内の空気に含まれる粒子状物質の分析結果（ＰＭやＰＮ）と、FCVの電費とを関連付けて記憶しても良いし、燃料電池に由来する粒子状物質と、FCVの電費とを関連付けて記憶しても良い。
これにより、試験室内のＰＭやＰＮと電費との相関を知ることができる。
【００６８】
その他、本発明は前記実施形態に限られず、その趣旨を逸脱しない範囲で種々の変形が可能であるのは言うまでもない。
【符号の説明】
【００６９】
１００・・・分析システム
Ｅ    ・・・エンジン
Ｅ１  ・・・排気管
Ｘ    ・・・試験室
Ｖ    ・・・試験車両
１０  ・・・シャシダイナモメータ
１１  ・・・回転ドラム
２０  ・・・排ガスサンプリング装置
３０  ・・・排ガス分析装置
４０  ・・・環境分析装置
Ｓ    ・・・試料
５０  ・・・装置本体
５１  ・・・サンプリング部
Ｆ    ・・・フィルタ
Ｌ    ・・・サンプリング流路
Ｐ    ・・・吸引ポンプ
Ｒ    ・・・リール
Ｌａ  ・・・サンプリングポート
５２  ・・・分析部
５２１・・・Ｘ線源
５２２・・・Ｘ線検出器
５３  ・・・捕集量測定部
５３１・・・β線源
５３２・・・β線検出器
６０  ・・・データ処理部
６１  ・・・元素分析部
６２  ・・・分析結果出力部
６３  ・・・捕集量算出部
Ｃ  ・・・情報処理装置
Ｃ１・・・排ガス分析結果受付部
Ｃ２・・・元素分析結果受付部
Ｃ３・・・データ記憶部
Ｃ４・・・有効性判断部
Ｃ５・・・発生源推定部
Ｃ６・・・発生源データ格納部
【産業上の利用可能性】
【００７０】
本発明によれば、試験室内の空気に含まれる粒子状物質の影響を考慮しながら排ガス分析することができる。
【図１】
2019225591.tif 000003
【図２】
2019225591.tif 000004
【図３】
2019225591.tif 000005
【図４】
2019225591.tif 000006
【図５】
2019225591.tif 000007
【図６】
2019225591.tif 000008
【国際調査報告】
2019225591.tif 000009
2019225591.tif 000010
2019225591.tif 000011